(57)【要約】【課題】使用時及び初期剥離処理時において外層体からスムーズに内層体を剥離することが可能であり、従来とは異なる肩部形状を可能とする積層剥離容器を提供する。【解決手段】外気導入孔１１ｅを有する筒状の口部１１、口部１１に連なり下方に向けて徐々に拡径する肩部１２、肩部１２に連なる胴部１３、及び胴部１３の下端部を閉塞する底部１４と、を有する外層体１０と、外層体１０の内側に積層配置された減容変形可能な内層体２０と、を備え、胴部１３のスクイズにより内容物を注出可能な積層剥離容器１であって、肩部１２と胴部１３の境界部分における、肩部１２の接線Ｌ１２と、胴部１３の接線Ｌ１３とのなす角度θ１が１１０°以上、１３０°以下であることを特徴とする。【選択図】図１
2020019522.tif 000002
【特許請求の範囲】
【請求項１】
外気導入孔を有する筒状の口部、前記口部に連なり下方に向けて徐々に拡径する肩部、前記肩部に連なる胴部、及び前記胴部の下端部を閉塞する底部と、を有する外層体と、前記外層体の内側に積層配置された減容変形可能な内層体と、を備え、前記胴部のスクイズにより内容物を注出可能な積層剥離容器であって、
前記肩部と前記胴部の境界部分における、前記肩部の接線と、前記胴部の接線とのなす角度が１１０°以上、１３０°以下であることを特徴とする積層剥離容器。
【請求項２】
前記口部と前記肩部の境界部分における、前記口部の接線と前記肩部の接線とのなす角度が１１０°以上、１４０°以下である、請求項１に記載の積層剥離容器。
【請求項３】
前記胴部の直径が、４５ｍｍ以上、５５ｍｍ以下である、請求項１又は２に記載の積層剥離容器。
【請求項４】
前記胴部は、前記肩部に連なる上端部から下方に向けて徐々に縮径し、最も小径となる最小径部から前記底部に連なる下端部に向けて徐々に拡径してなり、
軸線を通る縦断面視において、前記胴部の輪郭線は、少なくとも１つの円弧を含む湾曲線で構成される、請求項１〜３の何れか一項に記載の積層剥離容器。
【請求項５】
前記胴部は、軸線に垂直な断面が円形となる略円筒状である、請求項１〜４の何れか一項に記載の積層剥離容器。
【発明の詳細な説明】
【技術分野】
【０００１】
本発明は、口部、肩部、胴部、及び底部を有する外層体と、外層体の内側に剥離可能に積層配置された内層体と、を備える積層剥離容器に関する。
【背景技術】
【０００２】
従来、外層体と内層体を有する積層剥離容器において、外層体の口部に形成された外気導入孔から空気を吹き込む等により内層体を外層体から剥離させた後に、口部より内層体に空気を圧入する等により内層体を元に戻す初期剥離処理を施すことで、使用時、すなわち容器の内容物を内層体内から排出する際に、内層体が外層体からスムーズに剥離するようにしたものが知られている。
【０００３】
しかしながら、単に初期剥離処理を施すだけでは、使用時に内層体と外層体の剥離が常にスムーズに行われるとは限らなかった。このような内層体と外層体の剥離が行われないと、外気の導入路が内層体と外層体との間に形成されないので、容器の内容物を注出する際に、内容物の注出ができなかったり、内容物が注出できたとしても、外層体が負圧によって陥没変形してしまうといった問題が生じるおそれがある。
【０００４】
このため、特許文献１では、外気導入孔が形成された口部の下方に連なり緩やかに拡径する胴部の上部領域（肩部）に、凹状または凸状の縦リブを設けて、初期剥離処理後に内層体と外層体との間に隙間が形成されるようにしている。これにより、使用時には、内層体が剥離し易くなり、上記のような外層体の不正変形を防止することができる。
【先行技術文献】
【特許文献】
【０００５】
【特許文献１】特開２０１７−１７１３６８号公報
【発明の概要】
【発明が解決しようとする課題】
【０００６】
しかしながら、上記特許文献１の技術では、初期剥離処理の際に、外層体から内層体を剥離し易くするために、肩部の角度をなだらかに（なで肩状に）形成していた。そのため、肩部のデザインに制約があった。
【０００７】
それゆえ本発明は、使用時及び初期剥離処理時において外層体からスムーズに内層体を剥離することが可能であり、従来とは異なる肩部形状を可能とする積層剥離容器を提供することを目的とする。
【課題を解決するための手段】
【０００８】
本発明は、上記課題を解決するためになされたものであり、本発明の積層剥離容器は、外気導入孔を有する筒状の口部、前記口部に連なり下方に向けて徐々に拡径する肩部、前記肩部に連なる胴部、及び前記胴部の下端部を閉塞する底部と、を有する外層体と、前記外層体の内側に積層配置された減容変形可能な内層体と、を備え、前記胴部のスクイズにより内容物を注出可能な積層剥離容器であって、
前記肩部と前記胴部の境界部分における、前記肩部の接線と、前記胴部の接線とのなす角度が１１０°以上、１３０°以下であることを特徴とするものである。
【０００９】
なお、本発明の積層剥離容器にあっては、前記口部と前記肩部の境界部分における、前記口部の接線と前記肩部の接線とのなす角度が１１０°以上、１４０°以下であることが好ましい。
【００１０】
また、本発明の積層剥離容器にあっては、前記胴部の直径が、４５ｍｍ以上、５５ｍｍ以下であることが好ましい。
【００１１】
また、本発明の積層剥離容器にあっては、前記胴部は、前記肩部に連なる上端部から下方に向けて徐々に縮径し、最も小径となる最小径部から前記底部に連なる下端部に向けて徐々に拡径してなり、
軸線を通る縦断面視において、前記胴部の輪郭線は、少なくとも１つの円弧を含む湾曲線で構成されることが好ましい。
【００１２】
また、本発明の積層剥離容器にあっては、軸線を通る縦断面視において、前記胴部の輪郭線は、複数の円弧を繋げた湾曲線で構成されることが好ましい。
【００１３】
また、本発明の積層剥離容器にあっては、前記胴部は、軸線に垂直な断面が円形となる略円筒状であることが好ましい。
【発明の効果】
【００１４】
本発明によれば、使用時及び初期剥離処理時において外層体からスムーズに内層体を剥離することが可能であり、従来とは異なる肩部形状を可能とする積層剥離容器を提供することができる。
【図面の簡単な説明】
【００１５】
【図１】本発明の一実施形態に係る積層剥離容器を示す正面図である。
【図２】比較例としての積層剥離容器を示す正面図である。
【図３】比較例としての積層剥離容器を示す正面図である。
【発明を実施するための形態】
【００１６】
以下、図１を参照して、本発明の一実施形態に係る積層剥離容器１について詳細に説明する。なお、本明細書、特許請求の範囲、及び要約書において、「上」とは、外層体１０の底部１４に対して口部１１が位置する側であり、「下」とはその反対側（口部１１に対して底部１４が位置する側）である。
【００１７】
本実施形態に係る積層剥離容器１（以下、単に「容器」とも称する）は、容器１の外殻を構成する外層体１０と、外層体１０の内側に積層配置された減容変形可能な内層体２０とを備え、胴部１３のスクイズにより内容物を注出可能に構成されている。内層体２０の内部は、内容物の収容空間Ｓとなる。容器１は合成樹脂製であり、例えば、外層体１０を形成する合成樹脂と内層体２０を形成する合成樹脂とを溶融状態で共押出しすることで円筒状の積層パリソンを成形し、当該積層パリソンを金型に挟んでブロー成形（押出しブロー成形）することにより形成することができる。なお、本実施形態において、外層体１０は、ポリエチレン（ＰＥ）、又はポリプロピレン（ＰＰ）等からなり、また、内層体２０は、外側から外層を構成するエチレンビニルアルコール共重合樹脂（ＥＶＯＨ）、接着層を構成する変性ポリオレフィン樹脂（三井化学株式会社製「アドマー」（登録商標））、内層を構成するポリエチレンからなる積層構造とすることができるが、各層に使用する材料は、適宜選定することができる。また、外層体１０及び内層体２０はそれぞれ単層でも積層構造でもよい。
【００１８】
なお、容器１は、外層体１０と内層体２０との間に、上下方向に延びて内層体２０を外層体１０に対して部分的に接着する複数本の接着層（接着帯）を備えた構成とすることもできる。また、容器１は、例えば酸素や水蒸気に対するバリア性を有するバリア層が積層配置された構成や、各種コーティングによりバリア性が高められた構成とすることもできる。
【００１９】
外層体１０は、筒状の口部１１と、口部１１の下方に連なる肩部１２と、肩部１２の下方に連なる胴部１３と、胴部１３の下端部を閉塞する底部１４とを備える。
【００２０】
口部１１は、軸線Ｏの周りに環状に形成されるとともに肩部１２の上端に連なる段差状の環状段部１１ａと、この環状段部１１ａよりも小径の円筒部１１ｂと、この円筒部１１ｂよりもさらに小径の口元部１１ｃとを備える。
【００２１】
円筒部１１ｂの外周面には、容器１にキャップ等を取付けるための雄ねじ部１１ｄが形成されている。なお、雄ねじ部１１ｄに代えて、凸状もしくは凹状の被係合部を設けて、キャップに設けた凹状もしくは凸状の係合部が当該被係合部に係合することで、キャップが口部に保持されるようにしてもよい。
【００２２】
円筒部１１ｂには、軸線Ｏを挟んで対向する２箇所に外気導入孔１１ｅが形成されている。外気導入孔１１ｅは、軸線Ｏに向かって水平に外層体１０を貫通し、円形をなしている。外気導入孔１１ｅは内層体２０を貫通しておらず、当該外気導入孔１１ｅを通して外層体１０と内層体２０の間に空気を流入させることができる。なお、外気導入孔１１ｅは、口部１１に設けられていればよく、その数及び位置は図示例に限定されない。
【００２３】
肩部１２は、口部１１の下端部、すなわち本例では環状段部１１ａの下端部に連なり、下方に向けて徐々に拡径している。本例の肩部１２は、図１に示すように全体が軸線Ｏに対して略一定の角度で傾斜しており、その輪郭線が直線となる平坦な形状であるが、これに限られず、容器外側に向けて膨出するドーム状であってもよいし、逆に容器内側に向けて凹となるような逆ドーム状であってもよい。なお、本例の肩部１２は、軸線Ｏに垂直な断面（横断面）が円形となる形状であるが、これに限られず、横断面が楕円形や多角形となるような形状でもよい。
【００２４】
胴部１３は、その上端部が、肩部１２の下端部（外周縁部）に連なり、胴部１３の下端部が、底部１４の外周縁部に連なっている。胴部１３は、スクイズ可能な可撓性を有する。本例の胴部１３は、高さ方向（軸方向）の中間部が、軸線Ｏ側に向けて凹となるように全体が湾曲している。すなわち、胴部１３は、肩部１２に連なる上端部から下方に向けて徐々に縮径し、最も小径となる最小径部１３ａから底部１４に連なる下端部に向けて徐々に拡径している。本例において、最小径部１３ａは、胴部１３の高さ中心よりも上方に位置している。また、本例の胴部１３は、肩部１２に連なる上端部よりも、底部１４に連なる下端部の直径がわずかに大きい。
【００２５】
また本例の胴部１３は、軸線Ｏに垂直な断面（横断面）が円形となる略円筒状であるが、これに限られず、横断面が楕円形や多角形となるような形状でもよい。
【００２６】
また、本実施形態の容器１において、軸線Ｏを通る縦断面視における胴部１３の輪郭線は、複数の円弧を繋げた湾曲線で構成されている。より具体的に本例では、胴部１３の上部領域１３ｂ（最小径部１３ａよりも上方の領域）の輪郭線は、半径が５５０ｍｍの円弧で構成され、下部領域１３ｃ（最小径部１３ａよりも下方の領域）の輪郭線は、半径が９００ｍｍの円弧で構成されている。なお、縦断面視における胴部１３の輪郭線が、少なくとも１つの円弧を含む湾曲線で構成されるようにしてもよい。
【００２７】
底部１４は、中央部を容器内側に向けて湾曲させた円板状であり、当該底部１４の底面を接地させることで容器１は自立可能となっている。本例の底部１４には、ブロー成形の割り金型による食い切りによってピンチオフ部１４ａが形成されている。このピンチオフ部１４ａには、割り金型にて外層体１０と内層体２０とを挟み込んで扁平に押し潰すことにより形成される補強リブ１４ｂが設けられており、補強リブ１４ｂでは初期剥離処理時及び使用時に外層体１０から内層体２０が剥離しないように構成されている。なお、本例においてピンチオフ部１４ａは、底部１４のパーティングラインに沿って直線状に延在している。
【００２８】
図１に示すように、容器１は、肩部１２と胴部１３の境界部分における、肩部１２の接線Ｌ１２と、胴部１３の接線Ｌ１３とのなす角度θ１が１１０°以上、１３０°以下となっている。角度θ１を１１０°以上としたことで、肩部１２と胴部１３の境界部分に比較的緩やかな角部が形成されるため、内層体２０が剥離し易くなる。
【００２９】
一方、図２に示す比較例としての容器２のように、肩部１２と胴部１３の境界部分の角度θ１が１１０°未満（図２の例では角度θ１が９５°）である場合、内層体２０が外層体１０に密着した状態から剥がれ難くなる。これは、角度θ１が１１０°未満であると、肩部１２と胴部１３の境界部分の角部で、内層体２０の剥離が止まり易くなるためである。
【００３０】
また、本実施形態の容器１では、角度θ１が１３０°以下なので、肩部１２がなだらかになり過ぎず、肩部１２と胴部１３の境界部分に形成される角度の隙間が比較的小さくなるので、初期剥離処理後に内層体２０を元の形状に戻そうとしても内層体２０が当該隙間にぴったりと入り込み難い。したがって、内層体２０が外層体１０の内面に再密着し難く、使用時に内層体２０が剥離し易くなる。
【００３１】
一方、図３に示す比較例としての容器３のように、角度θ１が１３０°を超えると（図３の例では角度θ１が１３５°）、角度θ１が緩やかになり過ぎて（肩部１２がなだらかになるため）、初期剥離処理後に内層体２０が外層体１０に再密着し易くなり、使用時に、外気導入孔１１ｅから外層体１０と内層体２０の間に外気を導入し難くなる。
【００３２】
このように、本実施形態によれば、肩部１２と胴部１３の境界部分における角度θ１を１１０°以上、１３０°以下とすることで、使用時及び初期剥離処理時において外層体１０からスムーズに内層体２０を剥離することが可能となる。そして、肩部１２をなだらかな形状にすることなく、比較的角ばったいかり肩状とすることができるので、従来とは異なる肩部１２のデザインが可能となる。当該角度θ１を、１１５°以上、１２５°以下とした場合、上記の作用効果がより効果的に得られるため、より好ましい。なお、本例の容器１では、角度θ１が１２０°となっている。
【００３３】
また、本実施形態の容器１では、口部１１と肩部１２の境界部分における、口部１１の接線Ｌ１１と肩部１２の接線Ｌ１２とのなす角度θ２が１１０°以上、１４０°以下となっている。角度θ２を１１０°以上としたことで、口部１１と肩部１２の境界部分に比較的緩やかな角部が形成されるため、内層体２０が剥離し易くなる。
【００３４】
一方、口部１１と肩部１２の境界部分の角度θ２が１１０°未満である場合、内層体２０が外層体１０に密着した状態から剥がれ難くなる。これは、角度θ２が１１０°未満であると、口部１１と肩部１２の境界部分の角部で、内層体２０の剥離が止まり易くなるためである。
【００３５】
また、本実施形態の容器１では、角度θ２が１４０°以下なので、初期剥離処理後に内層体２０を元の形状に戻しても外層体１０に再密着し難い（隙間ができ易い）。
【００３６】
一方、角度θ２が１４０°を超えると、角度θ２が緩やかになり過ぎて、初期剥離処理後に内層体２０が外層体１０に再密着し易くなり、使用時に、外気導入孔１１ｅから外層体１０と内層体２０の間に外気を導入し難くなる。これは、口部１１と肩部１２の境界部分の角部がなだらかになると、外層体１０の形状通りに内層体２０が追従し易くなるためである。逆に、口部１１と肩部１２の境界部分の角部が鋭利になるほど、初期剥離処理後に、外層体１０の形状通りに内層体２０が追従し難くなるため、再密着し難くなる。
【００３７】
このように、本実施形態によれば、口部１１と肩部１２の境界部分における角度θ２を１１０°以上、１４０°以下とすることで、使用時のみならず、初期剥離処理時においても外層体１０からスムーズに内層体２０を剥離することが可能となる。同様の理由から、当該角度θ２は、１１５°以上、１３５°以下であることがより好ましい。なお、本例の容器１では、角度θ２が１２０°となっている。
【００３８】
なお、本例では、口部１１と肩部１２との境界、及び肩部１２と胴部１３との境界に僅かな湾曲部（所謂アール形状）を設けて角部に丸みを持たせているが、このような湾曲部を設けずに角部が屈曲した形状であってもよい。
【００３９】
また、本実施形態の容器１によれば、上述のように、使用時に内層体２０が外層体１０からスムーズに剥離して空気の流路を形成することができるため、肩部１２に縦リブ等を設けて初期剥離処理後の内層体２０の再密着を防ぐ必要もない。
【００４０】
本実施形態の容器１にあっては、胴部１３の直径が、４５ｍｍ以上、５５ｍｍ以下であることが好ましい。このような構成とすることで、使用時及び初期剥離時における内層体２０の剥離性がより確実に向上する。
【００４１】
同様に、本実施形態の容器１にあっては、口部１１の直径が、２０．８ｍｍ以上、２６．２ｍｍ以下であることが好ましい。このような構成とすることで、使用時及び初期剥離時における内層体２０の剥離性がより確実に向上する。
【００４２】
また、本実施形態の容器１にあっては、肩部１２の軸方向の長さ（高さ）Ｈが、６．０ｍｍ以上、１０．０ｍｍ以下であることが好ましい。このような構成とすることで、使用時及び初期剥離時における内層体２０の剥離性がより確実に向上する。
【００４３】
なお、本例の容器１は、例えば、逆止弁を有するキャップを口部１１に取り付けた状態で胴部１３をスクイズ（圧搾）することによって液体等の内容物を注出する構成とすることができる。また、肩部１２に凹状または凸状のリブを設けてもよい。また、内容物としては、例えば、化粧水などの化粧料や、シャンプーやリンスあるいは液体石鹸、また食品調味料などとすることができるが、特に限定されない。
【００４４】
上述したところは、本発明の一例を示したにすぎず、特許請求の範囲において、種々の変更を加えることができる。例えば、容器１は、積層剥離容器であれば、押出しブロー成形により形成されるものに限らず、プリフォームを用いた二軸延伸ブロー成形等により形成されるものでもよい。また、口部１１、肩部１２、胴部１３、及び底部１４の形状は適宜変更可能であり、例えば、肩部１２及び胴部１３の表面に、凹部または凸部等を設けてもよい。
【符号の説明】
【００４５】
１、２、３：積層剥離容器
１０：外層体
１１：口部
１１ａ：環状段部
１１ｂ：円筒部
１１ｃ：口元部
１１ｄ：雄ねじ部
１１ｅ：外気導入孔
１２：肩部
１３：胴部
１３ａ：最小径部
１３ｂ：上部領域
１３ｃ：下部領域
１４：底部
１４ａ：ピンチオフ部
１４ｂ：補強リブ
２０：内層体
Ｏ：軸線
Ｓ：収容空間
【図１】
2020019522.tif 000003
【図２】
2020019522.tif 000004
【図３】
2020019522.tif 000005